(57)【要約】【課題】本発明は、縦方向に重積した複数のコイルを掩覆してなるインナーカバーと、該インナーカバーをさらに掩覆してなり、下部にバーナーを具備するアウターカバーと、を有してなるコイル焼鈍用のベル型焼鈍炉内の均一な焼鈍に関する。【解決手段】前記バーナー位置に相当するインナーカバーの外周に防熱板を設置してなる。【選択図】      図１
2004225068.tif 000002
【特許請求の範囲】
【請求項１】
縦方向に重積した複数のコイルを掩覆してなるインナーカバーと、
該インナーカバーをさらに掩覆してなり、下部にバーナーを具備するアウターカバーと、
を有してなるコイル焼鈍用のベル型焼鈍炉であって、
前記バーナー位置に相当するインナーカバーの外周に防熱板を設置してなることを特徴とするベル型焼鈍炉。
【請求項２】
前記防熱板が、前記インナーカバーの外周に沿って凹凸状となるように屈折して装設されてなることを特徴とする請求項１に記載のベル型焼鈍炉。
【発明の詳細な説明】
【０００１】
【発明の属する技術分野】
本発明は、熱延鋼帯、冷延鋼帯等のコイルをバッチ焼鈍する際に適用するベル型焼鈍炉の改良に関する。
【０００２】
【従来の技術】
従来のベル型焼鈍炉、すなわち、移動炉型のシングルスタック焼鈍炉の断面を図５に示す。
ベル型焼鈍炉は、下部にバーナー３を設置したアウターカバー２と焼鈍雰囲気ガス中への燃焼ガスの侵入を防止するインナーカバー１からなる。インナーカバー１内部には、コンベクター５を挟んでコイル４が積み重ねられており、インナーカバー１内の雰囲気ガスを強制対流させることで対流による伝熱を促進し、焼鈍を行う。なお、図５では、下からコイルＡ〜Ｄの４段積みの炉を例示する。
【０００３】
このようなシングルスタックのベル型焼鈍炉において、高さ方向の温度の不均一を解消する方法として、すでに特許文献１に開示の雰囲気ガスの強制対流方法や、特許文献２に開示のバーナー制御方法等がよく知られている。
【０００４】
【特許文献１】
特開平６−１１６６５７号公報
【特許文献２】
特開平６−８８１３８  号公報
【０００５】
【発明が解決しようとする課題】
ベル型焼鈍炉を用いたバッチ焼鈍において、その処理能率の向上には積み込むコイルを大型化することが効果的であり、必然的にコイルの外巻部とインナーカバーの隙間は狭くなる。
ところで、アウターカバーに付設のバーナーの燃焼熱が、インナーカバー内部のコイルを昇温するには、雰囲気ガスの伝熱とインナーカバーの輻射熱の両方が寄与することになるが、コイルとインナーカバーの隙間が狭くなると、輻射熱の影響が相対的に大きくなる。
【０００６】
そのため、インナーカバー内の雰囲気ガスの強制対流方向の変更やバーナー燃焼量の制御を行うという従来の方法では、インナーカバー内に積み上げたコイルの上下方向の温度差を解消し、すべてのコイルの昇温速度を均一にすることは困難である。
ここで、上下方向の温度差に関しては、焼鈍における均熱時間をある程度取ることで解消するが、各コイルの昇温速度を均一にすることはできない。
【０００７】
また、本発明者らは、特に３〜１０％程度の水素と窒素の混合ガスである、いわゆるＨＮガス雰囲気中での焼鈍では、昇温速度によってコイル表面性状に差が生じることがあり、とりわけステンレス鋼のような高Ｃｒ鋼では、急激な昇熱によってコイル表層に窒化層が形成され、その後の酸洗の際にムラとなって現れるとの知見を得た。
【０００８】
本発明は、上述のような下積みコイルと上積みコイルの昇温速度や到達温度の差を解消し、コイル積み位置の違いがあっても焼鈍条件が同一となるようにするベル型焼鈍炉を提供するものである。
【０００９】
【課題を解決するための手段】
本発明のベル型焼鈍炉は、バッチ焼鈍におけるインナーカバーを改良することで炉内の上下方向の温度差および昇温速度差を改善し、均一な焼鈍を可能としたものである。
すなわち、本発明は、縦方向に重積した複数のコイルを掩覆してなるインナーカバーと、該インナーカバーをさらに掩覆してなり、下部にバーナーを具備するアウターカバーと、を有してなるコイル焼鈍用のベル型焼鈍炉であって、前記バーナー位置に相当するインナーカバーの外周に防熱板を設置してなることを特徴とするベル型焼鈍炉によって上記課題を解決したのである。
【００１０】
また、本発明は、前記防熱板が、前記インナーカバーの外周に沿って凹凸状となるように屈折して装設されてなることを好適とするものである。
【００１１】
【発明の実施の形態】
本発明の好適な実施の形態を図１に基づいて説明する。なお、図５において説明した従来のベル型焼鈍炉と同一の部材には同一の番号を付し、ここでの説明を省略する。
本発明は、図１に示すように、バーナー３の火炎により直接加熱されるインナーカバー１の下部に防熱板１０を設置するようにしたことを特徴とする。
【００１２】
防熱板１０を設置することで、インナーカバー１の下部の過昇熱を防止することができ、輻射熱による下積みコイル（特に、コイルＡとコイルＢ）の外巻部の急昇熱を防止できるようになる。
なお、この防熱板１０は、図２に示すように、インナーカバー１の外周に沿って凹凸状となるように屈折して装設することを好適とする。すなわち、図２に本発明の別の実施の形態として示す防熱板１１は、凹凸状の鉄板１２をインナーカバー１の外周に沿って巻き付け、ベルト１３で所要の箇所を巻き付けて止めるように構成する。
【００１３】
こうすることで、凹凸状の鉄板１２の一部のみがインナーカバー１と接することから、防熱板１１の変動や変形を防止できる一方、インナーカバー１との間に充分な隙間を確保することができ、インナーカバー１の下部が不均一に昇温されることもなくなる。
なお、図２では、インナーカバー１の外周に沿って凹凸状の鉄板１２を巻き付けた例を示したが、巻き付ける鉄板は、図示のように矩形状に凹凸とした形状に限定するものではなく、蛇腹状に折り畳んだ形状としてもよい。
【００１４】
【実施例】
図５に示す従来のベル型焼鈍炉と、図１に示す本発明の焼鈍炉を用いて実際の焼鈍をそれぞれ行い、インナーカバー内部での昇温状況を比較した。なお、本発明の焼鈍炉において、防熱板１０は、図２に示したようにインナーカバー１の外周に沿って凹凸状となるように屈折して装設した。
【００１５】
図３は、図５に示す従来のベル型焼鈍炉において、４つのコイルＡ〜Ｄ（Ａ積み〜Ｄ積み）の昇温経過を示すグラフである。なお、ＢＬＴはベル温度であり、インナーカバー最上部の温度の推移を示している。
図３では、下積みコイルであるＡ積みとＢ積みのコイルの温度の上昇が、上積みコイルであるＣ積みとＤ積みのコイルの温度上昇よりも急であり、明らかに炉内での温度上昇が不均一になっている。
【００１６】
一方、本発明の防熱板を具備した図１に示すベル型焼鈍炉においては、図４に示すように、４つのコイルＡ〜Ｄ（Ａ積み〜Ｄ積み）の昇温経過がほぼ同一となっており、均熱を達成している。
すなわち、図示のように、図３と図４のいずれの場合においても、焼鈍温度は最終的には均一になるものの、従来例（図３）では、その昇温速度はコイル積み位置によってかなり異なり、バーナー部に近い下積みの２コイルの外巻部は上積みコイルに比べてかなり早く昇温する。一方、本発明例（図４）では、このような昇温の不均一が発生することはなく、下積みコイルと上積みコイルの昇温速度と最終到達温度がほぼ等しくなっており、コイル積み位置によらずに同一の条件で焼鈍を行うことが可能となった。
【００１７】
【発明の効果】
本発明によって、従来問題となっていた炉内でのコイル積み位置による焼鈍条件の違いを解消することができた。また、特にＨＮガス雰囲気中での高Ｃｒ鋼の焼鈍においても急昇熱による窒化を有効に防止できるようになり、酸洗時のムラの発生を有効に抑えられるようになった。
【図面の簡単な説明】
【図１】本発明の好適な実施の形態を示すベル型焼鈍炉の模式図である。
【図２】本発明に適用する防熱板の別の好適な実施の形態を示す模式図である。
【図３】ベル型焼鈍炉内で段積みされた各コイルの従来の昇温の推移を示すグラフである。
【図４】ベル型焼鈍炉内で段積みされた各コイルの本発明適用による昇温の推移を示すグラフである。
【図５】従来のベル型焼鈍炉について説明する模式図である。
【符号の説明】
１        インナーカバー
２        アウターカバー
３        バーナー
４        コイル
５        コンベクター
１０、１１        防熱板
１２    凹凸状の鉄板
１３    ベルト
【図１】
2004225068.tif 000003
【図２】
2004225068.tif 000004
【図３】
2004225068.tif 000005
【図４】
2004225068.tif 000006
【図５】
2004225068.tif 000007